(57)【要約】【課題】透明板を上方へ無用に移動させて行なわれる不正行為ばかりでなく、弾球遊技機の上面であって遊技機本体と透明板保持扉との間の隙間から不正部材を差し込んで行なわれる不正行為をも完全に防止できるようにした弾球遊技機を提供する。【解決手段】透明板保持扉２裏面の保持レール２１の上端間に該保持レール２１に嵌入される透明板２３を抜き差し不能に固定する阻止部材２４を配置し、同時に透明板保持扉２を遊技機本体１の前面に閉成したとき、前記阻止部材２４後側の規制板２７の後端縁全体が遊技機本体１の前面に穿設された挿入溝３２内に挿入されるようにした。【選択図】図４
2005046325.tif 000002
【特許請求の範囲】
【請求項１】
遊技盤が取り付けられる遊技機本体と、前記遊技盤の前面を覆うようにして遊技機本体の前面に開閉自在に装着され該遊技盤の前面が臨む窓口を有する透明板保持扉とを備え、前記透明板保持扉の裏側に前記窓口を覆うようにして透明板を上方から抜き差し自在に嵌入できる保持レールを備えた弾球遊技機であって、
前記保持レールの上端間に該保持レールに嵌入される前記透明板を抜き差し不能に固定する阻止部材を配置し、前記阻止部材にはその後側全体に庇状の規制板が張設され、一方、前記遊技機本体の前面に前記規制板に対応位置する挿入溝が穿設され、前記透明板保持扉を遊技機本体の前面に閉成したとき、前記規制板の後端縁全体が前記挿入溝内に挿入されるようにしたことを特徴とする弾球遊技機。
【請求項２】
前記遊技機本体の前面に遊技盤の遊技部周囲を囲うようにして遊技の興趣を高めるための装飾部材が取り付けられる弾球遊技機であって、前記装飾部材に前記挿入溝が穿設されるようにした請求項１記載の弾球遊技機。
【発明の詳細な説明】
【技術分野】
【０００１】
本発明は、針金または薄板等の不正部材を使って故意に景品球を得る不正行為を防止するようにした弾球遊技機に関するものである。
【背景技術】
【０００２】
従来、この種針金または薄板等を使って行なわれる不正行為の防止を図った弾球遊技機として次のものがある（例えば特許文献１参照。）。この弾球遊技機は、本体側枠体に遊技盤が取り付けられており、本体側枠体の前面一側に遊技盤の前面を覆うようにしてガラス保持扉が開閉自在に装着され、該ガラス保持扉の裏側に２枚のガラス板が上方から抜き差し自在に嵌入できる縦・横レールが設けられている。一方、本体側枠体には、前記ガラス保持扉を閉成した際に縦レール上端間を覆い縦・横レールに嵌ったガラス板の上方への移動を規制する上辺規制部が設けられた構成からなる。
【特許文献１】特許第３３９７７１８号公報（第３−４頁、図２）
【発明の開示】
【発明が解決しようとする課題】
【０００３】
しかしながら、前記特許文献１の弾球遊技機にあっては、ガラス板を上方へ無用に移動させて行なう不正行為は前記上辺規制部により防止できるものの、ガラス保持扉が閉成した状態では前記上辺規制部の前端縁とガラス保持扉の裏面との間には少しの隙間が生じていた。このため、弾球遊技機の上面であって本体側枠体とガラス保持扉との間の隙間から針金または薄板を差し込み、その先端部を前記上辺規制部の上面を這わせると共にその前端縁とガラス保持扉の裏面との間の隙間を介して遊技盤面に這わせて不正行為が行なわれており、防止対策として十分ではなかった。
【０００４】
そこで、本発明は上記課題を解決すべくなされたもので、透明板を上方へ無用に移動させて行なわれる不正行為ばかりでなく、弾球遊技機の上面であって遊技機本体と透明板保持扉との間の隙間から不正部材を差し込んで行なわれる不正行為をも完全に防止できるようにした弾球遊技機を提供することを目的とするものである。
【課題を解決するための手段】
【０００５】
かかる目的を達成するため、本発明に係る弾球遊技機は、遊技盤が取り付けられる遊技機本体と、前記遊技盤の前面を覆うようにして遊技機本体の前面に開閉自在に装着され該遊技盤の前面が臨む窓口を有する透明板保持扉とを備え、前記透明板保持扉の裏側に前記窓口を覆うようにして透明板を上方から抜き差し自在に嵌入できる保持レールを備えた弾球遊技機であって、前記保持レールの上端間に該保持レールに嵌入される前記透明板を抜き差し不能に固定する阻止部材を配置し、前記阻止部材にはその後側全体に庇状の規制板が張設され、一方、前記遊技機本体の前面に前記規制板に対応位置する挿入溝が穿設され、前記透明板保持扉を遊技機本体の前面に閉成したとき、前記規制板の後端縁全体が前記挿入溝内に挿入されるようにした。
【０００６】
また、遊技機本体の前面に遊技盤の遊技部周囲を囲うようにして遊技の興趣を高めるための装飾部材が取り付けられる弾球遊技機にあっては、装飾部材に挿入溝が穿設されるようにしても良い。
【発明の効果】
【０００７】
本発明は、透明板保持扉裏面の保持レールの上端間に該保持レールに嵌入される透明板を抜き差し不能に固定する阻止部材を配置し、同時に透明板保持扉を遊技機本体の前面に閉成したとき、前記阻止部材後側の規制板の後端縁全体が遊技機本体の前面に穿設された挿入溝内に挿入されるようにしたので、透明板は阻止部材によってしっかりと固定され、上方に無用に移動することがなく、遊技盤前面の上方も阻止部材により塞がれるので、弾球遊技機の正面及び上面からの不正行為が完全に防止されるという効果がある。
【発明を実施するための最良の形態】
【０００８】
以下本発明の実施の形態を図面に従って詳しく説明する。なお、弾球遊技機には例えばパチンコ遊技機、アレンジボール機または雀球遊技機が挙げられるが、本発明にあっては、その一例としてパチンコ遊技機について説明する。
【０００９】
図１は本発明が適用されるパチンコ遊技機の正面図、図２は同透明板保持扉を開いた状態を示す斜視図である。パチンコ遊技機Ｐは、遊技機本体１とその前面一側に開閉自在に軸着される透明板保持扉２と該透明板保持扉２の下方であって同じく遊技機本体１の前面一側に軸着される前面板３とから主として構成される。遊技機本体１は、木製の縦長方形枠状の外枠４を有し、その前面に前枠５が一側上下部を前記外枠１の一側上下部に設けた軸支部６，６に軸支して回動自在に装着される。前記前枠５は額縁状に成形されると共に内側に略円形の通口７が開設された枠板８が張設され、該枠板８の裏側に配置固定される遊技盤９前面の遊技部９ａが通口７に臨むようになっている。前記枠板８は前枠５と一体に成形しても別体に成形しても良い。
【００１０】
前記遊技盤９の前面には、遊技部９ａを囲うように内側ガイドレール１０ａと外側ガイドレール１０ｂとが渦巻き状に配設される。この場合、内側ガイドレール９ａは遊技盤９面に敷設固定されるが、外側ガイドレール１０ｂは前記遊技盤９の周囲を囲うようにして張設される枠板８に取り付けられる。前記遊技盤９の遊技部９ａには、そのほぼ中央に表示部１１ａを備えた可変表示装置１１が配置され、また、その下方に弾球であるパチンコ球の入賞により前記表示部１１ａの文字、数字、図形等の表示を変動表示させる始動入賞口１２が配置される。更に、その下方に位置して前記変動した表示が一定の時間経過後に停止して特定の表示を示し、遊技者にとって有利な特別遊技状態になったとき、一定の条件の下で開閉扉１３ａを所定回数開成させ一度に多くの入賞球が得られる入賞装置１３が配置される。また、１４,１４はその両側に配設される一般入賞口である。
【００１１】
前記前面板３の前面に貯留されるパチンコ球を発射部（図示せず。）に供給するための打球供給皿１５が装着されている。また、前枠５の下部前面には、打球供給皿１５から溢れるパチンコ球を貯留する余剰球受皿１６が装着されている。１７は前記前枠５の下部前面の一側に設けられ、打ち出されるパチンコ球の打球力の強弱を調節する操作ハンドルである。
【００１２】
前記透明板保持扉２は、合成樹脂製であって遊技機本体１の横幅とほぼ同じ横幅を有する方形枠状の本体枠１８を有し、該本体枠１８の中央に遊技盤９の遊技部９ａが臨む窓口１９が開設されている。また、本体枠１８の裏面には該本体枠１８よりも一回り小さい金属製の補強板２０が取着されている。そして、前記補強板２０の裏面に窓口１９の左右側と下側を囲うようにしてコ形状の保持レール２１が固着されている。この内、左右部保持レール２１ａ，２１ａには、向き合う面が開放する二条の平行なガラス溝２２が設けられ、下部保持レール２１ｂには上側が開放すると共に前記左右の各ガラス溝２２と連通する二条の平行なガラス溝２２が設けられている。
【００１３】
各ガラス溝２２にそれぞれ透明板であるガラス板２３が１枚づつ上から抜き差し自在に嵌入され、前記窓口１９を覆うようになっている。なお、図示は省略するが、二枚のガラス板２３を平行に配置してそれら周縁を樹脂枠で固定した二重ガラス枠があるが、このような二重ガラス枠であっても前記ガラス溝２２に嵌入するものであれば本発明は適用できる。
【００１４】
前記左右部保持レール２１ａ，２１ａの上端間には、各ガラス溝２２に嵌入されたガラス板２３の上方への移動を阻止し抜き差し不能に保持する阻止部材２４が設けられる。阻止部材２４は、図３、図４に示すように左右部保持レール２１ａ，２１ａの上端間の空間を覆うように左右部保持レール２１ａ，２１ａの上端間の長さを有しかつ平行な両ガラス溝２２，２２の開放上端面を塞ぐ幅を有する長板状の部材本体２５を有する。その裏面には長手方向に沿って前記ガラス溝２２に嵌入した各ガラス板２２の上端面に当接する２条の平行な凸条２６，２６が突設されている。また、部材本体２５の後端縁全体に上方へ突出する立片２５ａが一体に設けられ、更に該立片２５ａの上端全体に後方へ延出する庇状の規制板２７が一体に設けられている。部材本体２５の長手方向の両端にはそれぞれ下方へ折れ曲る取付片２８が設けられ、各取付片２８に螺子挿通孔２９が開設されている。
【００１５】
そして、両螺子挿通孔２９を左右部保持レール２１ａ，２１ａの上端部に開設した螺子孔３０に合致させ、各螺子挿通孔２９を介して各螺子孔３０に螺子３１を螺締することにより阻止部材２４が着脱自在に取着される。この際、部材本体２５裏面の各凸条２６が各ガラス板２３の上端面に当接して上方へ無用に移動しないようにしている。
【００１６】
一方、前記前枠５には、外側ガイドレール１０ｂを保持する枠板８の前面の所定位置に前記規制板２７が挿入される挿入溝３２が貫設されている。そして、透明板保持扉２を前枠５の前面に閉成したとき、前記規制板２７の後端縁全体が挿入溝３２内に挿入されるようになっている。これにより、遊技盤９の遊技部９ａの上方が閉鎖されることになる。
【００１７】
本発明は上記構成からなり、例えば遊技者がガラス板２３を上方へ無用に移動させその隙間から不正部材Ｆを差し込み不正行為を行なおうとしても、ガラス板２３はいずれも阻止部材２４の両凸条２６，２６により上から押さえ込まれているので、上方へ移動することはなく弾球遊技機Ｐの正面からの不正行為が防止される。
【００１８】
また、図４の一点鎖線に示すように弾球遊技機Ｐの上面であって、遊技機本体１と透明板保持扉２との間の隙間から不正部材Ｆを差し込み、その先端を遊技盤９の遊技部９ａに這わせようとしても、保持レール２１の上端面は阻止部材２４の部材本体２５により覆われ、更に保持レール２１と遊技盤９面との間の上方は前記立片２５ａの上端縁全体から後方へ延出する規制板２７によって覆われる。しかも、規制板２７はその後端縁全体が挿入溝３２内に挿入されその中の空洞部が屈曲することから、たとえ不正部材Ｆの先端部を挿入溝３２内に挿入できたとしても、それ以上進むことが困難になり、断念せざるを得なくなってくる。これにより不正行為が完全に防止される。
【００１９】
図５は阻止部材の他の実施の形態を示すものである。なお、この阻止部材２４ａは本実施の形態に係る阻止部材２４と主たる構成は同じなので、同一部位は同じ番号を付すことによって詳しい説明は省略する。すなわち、他の実施の形態に係る阻止部材２４ａは、部材本体２５の後端縁から支持片３３を起立して設け、その後面であって上下方向のほぼ中間位置全体に前記挿入溝３２に嵌入する規制板２７ａが延設されている。また、規制板２７ａの後端縁全体には上方へ折れ曲る屈曲片３４が設けられている。この阻止部材２４ａによれば、支持片３３が前記挿入溝３２の入口より一回り大きい大きさを有し、その入口を塞ぐことになるので、挿入溝３２内に不正部材Ｆが挿入されにくい。また、規制板２７ａの後端縁に上方へ折れ曲がる屈曲片３４が設けられていることから、たとえ不正部材Ｆの先端部を運良く挿入溝３２内に挿入でき規制板２７ａの上面を這わすことができたとしても、その先端部が屈曲片３４に当接してそれ以上の侵入が不可能となる。これにより、不正防止効果がより向上する。
【００２０】
図６は挿入溝の他の実施の形態に係るもので、挿入溝３２ａの後端面に封鎖壁３５が設けられ、挿入溝３２ａの後端面が閉ざされている。そして、規制板２７が挿入溝３２ａ内に挿入されたとき、規制板２７の後端縁が封鎖壁３５面に当接するようになっている。これにより、不正部材Ｆが挿入溝３２ａ内に挿入されてもその先端部が封鎖壁３５面に当接し、それ以上の侵入が不可能となる。これによっても不正防止効果がより向上する。
【００２１】
本実施の形態では、遊技機本体１すなわち、枠板８に挿入溝３２が穿設されている場合を説明したが、前枠５の前面に遊技の興趣を高める装飾部材（図示せず。）が取り付けられている場合は、装飾部材に前記挿入溝３２を穿設するようにしても良い。
【図面の簡単な説明】
【００２２】
【図１】本発明が適用されるパチンコ遊技機の正面図。
【図２】同透明板保持扉を開いた状態の斜視図。
【図３】同阻止部材を分解した状態を示す斜視図。
【図４】同要部の側断面図。
【図５】同他の実施の形態に係る阻止部材を使用した要部の斜視図。
【図６】同他の実施の形態に係る挿入溝を使用した要部の斜視図。
【符号の説明】
【００２３】
１      遊技機本体
２      透明板保持扉
９      遊技盤
１９    窓口
２１    保持レール
２３    透明板（ガラス板）
２４    阻止部材
２７    規制板
３２    挿入溝
Ｐ      パチンコ遊技機
【図１】
2005046325.tif 000003
【図２】
2005046325.tif 000004
【図３】
2005046325.tif 000005
【図４】
2005046325.tif 000006
【図５】
2005046325.tif 000007
【図６】
2005046325.tif 000008